(57)【要約】ＴＤＤ−ＣＤＭＡシステムの移動端末用のセル・サーチ方法および装置であって、移動体は、ダウンリンク・パイロット・スロット（ＤｗＰＴＳ）を使用する特殊な電力パルスを使用して粗同期を捕捉し、その後、従来の相関セル・サーチを使用して探索を精緻化する。粗同期がとられているので、従来の相関セル・サーチを狭い時間ウィンドウ内に限定することができる。そのため、ＴＤＤ−ＣＤＭＡシステム、特にＴＤ−ＳＣＤＭＡにおけるセル・サーチの複雑さ、および探索時間が、大きく減少する。
2006512825.tif 000002
【特許請求の範囲】
【請求項１】
ＴＤＤ−ＣＤＭＡシステムの移動端末用のセル・サーチ方法であって、
ａ．基地局によって送信された信号をパルス電力に基づいて探索するステップと、
ｂ．ダウンリンク同期信号に類似する信号がうまく見つかった場合、粗時間同期パラメータを取得するステップと、
ｃ．前記粗時間同期パラメータに基づいて、時間サーチ・ウィンドウを開き、前記時間ウィンドウ内でダウンリンク同期用信号を探索するステップと、
ｄ．ダウンリンク同期用信号がうまく見つからなかった場合、全時間間隔内でダウンリンク同期用信号を探索するステップとを含む方法。
【請求項２】
ステップａがさらに、
ａ１．照合テンプレートを定義するステップと、
ａ２．受信信号の電力を計算するステップと、
ａ３．すべての受信信号を前記照合テンプレートと比較するステップとを含む、請求項１に記載の方法。
【請求項３】
前記照合テンプレートのパラメータが、
Ｈ１は、前記照合テンプレートのガード期間の電力閾値であり、
Ｈ２は、前記照合テンプレートのダウンリンク同期用信号の電力閾値であり、
Ｌ１は、前記照合テンプレートのガード期間の時間であり、
Ｌ３は、前記照合テンプレートのダウンリンク同期用信号の時間であるように定義される、請求項２に記載の方法。
【請求項４】
ステップａ２で、前記信号の前記パルス電力を、前記信号の実数部の絶対値を虚数部の絶対値に加算することによって求めることができる、請求項２に記載の方法。
【請求項５】
ステップａ３がさらに、前記受信信号と照合テンプレートの類似性を測定するのに使用される評価変数を定義するステップを含む、請求項２に記載の方法。
【請求項６】
前記評価変数を用いて判定を行って、前記評価変数が指定の閾値に達した場合、前記ダウンリンク同期用信号が見つかったと判定される、請求項５に記載の方法。
【請求項７】
ステップａ３がさらに、
ａ３−１．信号パルスの前のガード期間を検出するステップと、
ａ３−２．信号パルス期間を検出するステップと、
ａ３−３．信号パルスの後のガード期間を検出するステップとを含む、請求項２に記載の方法。
【請求項８】
信号パルスの前の前記ガード期間を検出するステップは、信号パルス電力をＨ１と比較し、前記信号パルス電力がＨ１より小さければ、前記評価変数を決められた値だけ増やし、それ以外の場合は、前記評価変数を決められた値だけ減らすステップを含む、請求項７に記載の方法。
【請求項９】
信号パルス期間を検出するステップは、信号パルス電力をＨ２と比較し、前記信号パルス電力がＨ１より高ければ、前記評価変数を決められた値だけ増やし、それ以外の場合は、前記評価変数を決められた値だけ減らすステップを含む、請求項７に記載の方法。
【請求項１０】
信号パルスの後のガード期間を検査するステップは、信号パルス電力をＨ１と比較し、前記信号パルス電力がＨ１より低ければ、前記評価変数を決められた値だけ増やし、それ以外の場合は、前記評価変数を決められた値だけ減らすステップを含む、請求項７に記載の方法。
【請求項１１】
ステップａ３のどのパルス期間でも、探索される信号パルス電力と照合テンプレート電力との比較は、あらゆる時点で行われる、請求項７に記載の方法。
【請求項１２】
ステップａ３のどのパルス期間でも、探索される信号パルス電力と照合テンプレート電力との比較は、複数の指定された検出点で行われる、請求項７に記載の方法。
【請求項１３】
ＴＤＤ−ＣＤＭＡシステムにおいてセル・サーチを実行するための探索装置を備える移動端末であって、前記探索装置が、
パルス電力探索基地局によって発信される信号によって粗時間同期パラメータを取得する電力パルス探索と、
前記粗時間同期パラメータに基づいて時間サーチ・ウィンドウを開き、前記時間ウィンドウ内でダウンリンク同期用信号を探索する相関探索手段と、
前記電力パルス探索手段および相関探索手段の作業を制御し、それらのパラメータを定義する制御手段とを含む移動端末。
【請求項１４】
電力パルス探索装置が、
受信信号の電力を計算するために使用される電力計算装置と、
電力照合テンプレートのパラメータを定義し、保存するために使用される照合テンプレート装置と、
前記受信信号の電力パルスと前記定義された電力照合テンプレートの類似度を比較するために使用される電力照合装置とを備える、請求項１３に記載の移動端末。
【請求項１５】
前記電力照合テンプレートが、そのパラメータを、
Ｈ１は、前記照合テンプレートのガード期間の電力閾値であり、
Ｈ２は、前記照合テンプレートのダウンリンク同期用信号の電力閾値であり、
Ｌ１は、前記照合テンプレートのガード期間の時間であり、
Ｌ３は、前記照合テンプレートのダウンリンク同期信号の時間であるように定義する、請求項１４に記載の移動端末。
【請求項１６】
前記電力計算装置が、前記信号のパルス電力を、前記信号の実数部の絶対値を虚数部の絶対値に加算することによって求めることができる、請求項１４に記載の移動端末。
【請求項１７】
前記電力照合装置がさらに、前記受信信号と照合テンプレートの類似性を測定するのに使用される評価変数を定義する、請求項１４に記載の移動端末。
【請求項１８】
前記電力照合装置が、前記評価変数を用いて判定を行って、前記評価変数が指定の閾値に達した場合、前記ダウンリンク同期用信号が見つかったと判定される、請求項１４に記載の移動端末。
【請求項１９】
前記電力照合装置が、信号パルスの前のガード期間と、信号パルス期間と、信号パルスの後のガード期間とを検出する検出装置を備える、請求項１４に記載の移動端末。
【請求項２０】
信号パルスの前のガード期間の検出は、信号パルス電力をＨ１と比較し、前記信号パルス電力がＨ１より小さければ、前記評価変数を決められた値だけ増やし、それ以外の場合は、前記評価変数を決められた値だけ減らすことを含む、請求項１９に記載の移動端末。
【請求項２１】
信号パルス期間の検出は、信号パルス電力をＨ２と比較し、前記信号パルス電力がＨ１より高ければ、前記評価変数を決められた値だけ増やし、それ以外の場合は、前記評価変数を決められた値だけ減らすことを含む、請求項１９に記載の移動端末。
【請求項２２】
信号パルスの後のガード期間の検査は、信号パルス電力をＨ１と比較し、前記信号パルス電力がＨ１より低ければ、前記評価変数を決められた値だけ増やし、それ以外の場合は、前記評価変数を決められた値だけ減らすステップを含む、請求項１９に記載の移動端末。
【請求項２３】
前記電力照合装置が、あらゆる時点で、探索される信号パルス電力と前記電力照合テンプレートとの比較を行う、請求項１９に記載の移動端末。
【請求項２４】
前記電力照合装置が、複数の指定された検出点で、探索される信号パルス電力と前記電力照合テンプレートとの比較を行う、請求項１９に記載の移動端末。
【発明の詳細な説明】
【技術分野】
【０００１】
本発明は、移動通信システムに関し、より詳細には、ＴＤＤ−ＣＤＭＡシステムの移動端末用のセル・サーチ方法および装置に関する。
【背景技術】
【０００２】
ＣＤＭＡ無線通信システムでは、移動端末が初期同期（初期捕捉）を確立するとき、または移動端末が移動したためにセルが切り換えられるときに、セル・サーチを実行しなければならない。
【０００３】
ＷＣＤＭＡ／ＦＤＤ、ＷＣＤＭＡ／ＴＤＤ、およびＴＤ−ＳＣＤＭＡを含むＤＳ−ＣＤＭＡシステムでは、ＷＣＤＭＡの場合のＳＣＨ、ＴＤ−ＳＣＤＭＡの場合のＳＹＮＣ＿ＤＬなど、いくつかの特定の同期信号を利用しなければならない。これらの信号は、基地局によってダウンリンクを介して送信され、移動体は、それを用いて基地局との同期の確立および維持を行う。
【０００４】
現在、セル・サーチ方法の大部分は、同期符号の自己相関特性を利用する。図１は、相関器を使用して、どのようにセル・サーチを実現するかを示したブロック図である。同期符号発生器１０は、ローカル同期符号を生成し、ローカル同期符号は、受信信号とともに相関器１２に送られる。同期符号の自己相関特性に基づいて、相関器１２内の積分器１２１は、ローカル領域で生成された同期符号が受信信号と一致した（言い換えれば、２つが同一の信号系列および位相を有する）とき、ピーク値を送り出す。それ以外の場合、相関器１２は、より小さな値を出力する。コントローラ１１は、ローカル同期符号の系列および位相を制御する。相関器１２は、それにより送られるピーク値を探すために、ローカル同期符号のすべての可能な系列および位相をくまなく調べなければならない。例えば、ＳＹＮＣ＿ＤＬには３２種類の異なる系列が存在する。しかし、ＳＹＮＣ＿ＤＬのサーチ・ウィンドウは、１つのサブフレーム、すなわち、６４００個の符号片（ｃｏｄｅ  ｐｉｅｃｅ）であり、これは、少なくとも６４００の可能な位相が存在することを意味する。したがって、相関演算を３０２８００（３２×６４００）回実行しなければならない。
【０００５】
セル・サーチ時間を短縮するため、複数の並列相関器を使用する方法など、数多くの計算法および方法が提案されたが、並列相関器を使用する方法については、国際公開番号ＷＯ００／６７３９６、「A method and device of cell search in asynchronous communications system」の図５を参照されたい。しかし、これらの方法を利用するには、より多くのハードウェア資源を必要とする。
【０００６】
図２は、ＴＤ−ＳＣＤＭＡの標準化サブフレーム構造を示したブロック図である。サブフレームの長さは、５ｍｓ、すなわち、符号片６４００個分である。どのフレームも、長さがそれぞれ６７５ｕｓの７個のメイン・タイム・スロット（ＴＳ）と、３個の特殊なタイム・スロット、すなわち、９６個の符号片からなるダウンリンク・パイロット・タイム・スロット（ＤｗＰＴＳ）と、９６個の符号片からなるガード期間（ＧＰ）と、アップリンク・パイロット・タイム・スロット（ＵｐＰＴＳ）とに分割される。通常のタイム・スロット（ＴｄおよびＴｕを含む）の長さは、０．６７５ｍｓ、すなわち、符号片８６４個分である。そのうち末尾の１６個の符号片は、ガード期間（ＧＰ）と見なされる。
【０００７】
ＤｗＰＴＳは、基地局（ノードＢ）によって最大電力で送信される、ダウンリンク・パイロットおよび同期チャネルとして使用することができる。このタイム・スロットは、６４個の符号片からなるＳＹＮＣ＿ＤＬと、３２個の符号片からなるガード期間とから構成される。ＳＹＮＣ＿ＤＬの内容は、一群のゴールド符号である。ＵｐＰＴＳは、アップリンクのパイロットおよび同期チャネルとして使用することができる。ＵｐＰＴＳは通常、１２８個の符号片からなるＳＹＮＣ＿ＵＰと、３２個の符号片からなるガード期間とから構成される。ガード期間のタイム・スロットは、基地局（ノードＢ）の切換点として使用される。このタイム・スロットの長さは、７５ｕｓ（符号片９５個分）である。
【０００８】
先に説明したように、同期信号（ＳＹＮＣ＿ＤＬ）の前には４８個の符号片からなるガード期間が、後には９６個の符号片からなるガード期間が存在する。多元接続に起因する妨害を抑えるため、基地局と移動端末は、これらのガード期間中、オフ状態を維持するが、これは、基地局と移動端末が、信号を送信しないことを意味する。図３は、ＴＤ−ＳＣＤＭＡシステムのサブフレームの電力パルスを示したグラフである。このグラフから、ガード期間中に電力低下が見られることが分かる。
【０００９】
さらに、ＴＤ−ＳＣＤＭＡシステムでは、ＳＹＮＣ＿ＤＬは、最大電力で送信する必要がある。これは、ＳＹＮＣ＿ＤＬの強度は、雑音の強度より常に大きく、そのため、ＳＹＮＣ＿ＤＬを検出できることを意味する。図４には、ＤｗＰＴＳの電力パルスを示した一例が与えられているが、６４個の符号片からなる電力パルスの前と後に、比較的長いガード期間（すなわち、電力低下）が存在する。さらに、ＴＤ−ＳＣＤＭＡのサブフレームでは、６４個の符号片からなるこの電力パルスは、ただ一度だけ出現する。したがって、６４個の符号片からなるこの唯一の電力パルスであるＳＹＮＣ＿ＤＬを探索することによって、粗同期を捕捉することができる。
【発明の開示】
【発明が解決しようとする課題】
【００１０】
本発明は、ＴＤＤ−ＣＤＭＡシステムの移動端末用のセル・サーチ方法を提供する。
【課題を解決するための手段】
【００１１】
この方法では、ダウンリンク同期信号（ｓｙｎｃｈｒｏｎｉｚａｔｉｏｎ  ｓｉｇｎａｌ）の電力パルスを探索することによって、粗時間同期を捕捉する。この粗時間パラメータに基づいて、時間サーチ・ウィンドウが開かれ、その中で、従来の相関方法によって、ダウンリンク同期用信号（ｓｙｎｃｈｒｏｎｏｕｓ  ｓｉｇｎａｌ）が探索される。つまり、本発明では、全時間ウィンドウの代わりに、狭い時間ウィンドウに限定して、従来の相関セル・サーチを行うことができるので、サーチ時間を短縮することができる。
【００１２】
本発明は、ＴＤＤ−ＣＤＭＡシステムの移動端末用のセル・サーチ方法として実現され、この方法は、
ａ．基地局によって送信された信号をパルス電力に基づいて探索するステップと、
ｂ．ダウンリンク同期信号に類似する信号がうまく見つかった場合、粗時間同期パラメータを取得するステップと、
ｃ．粗時間同期パラメータに基づいて、時間サーチ・ウィンドウを開き、その時間ウィンドウ内でダウンリンク同期用信号を探索するステップと、
ｄ．ステップｃでダウンリンク同期用信号がうまく見つからなかった場合、全時間間隔内でダウンリンク同期用信号を探索するステップとを含む。
【００１３】
このとき、ステップａはさらに、
ａ１．照合テンプレートを定義するステップと、
ａ２．受信信号の電力を計算するステップと、
ａ３．すべての受信信号を前記照合テンプレートと比較するステップとを含む。
【００１４】
照合テンプレートのパラメータは、
Ｈ１は、照合テンプレートのガード期間の電力閾値であり、Ｈ２は、照合テンプレートのダウンリンク同期用信号の電力閾値であり、Ｌ１は、照合テンプレートのガード期間の長さであり、Ｌ３は、照合テンプレートのダウンリンク同期用信号の長さであるように定義される。
【００１５】
ステップａ２で、信号の実数部と虚数部によって、信号のパルス電力を求めることができる。
【００１６】
ステップａ３で、受信信号と照合テンプレートの間の類似性を測定するのに使用される評価変数（ｖａｒｉａｂｌｅ  ｏｆ  ｃｒｅｄｉｔ）が定義される。評価変数を用いて判定を行うことができ、評価変数が指定の閾値に達した場合、ダウンリンク同期用信号が見つかったと判定される。
【００１７】
ステップａ３はさらに、
ａ３−１．信号パルスの前のガード期間を検出するステップと、
ａ３−２．信号パルス期間を検出するステップと、
ａ３−３．信号パルスの後のガード期間を検出するステップとを含む。
【００１８】
信号パルスの前のガード期間を検出するステップは、信号パルス電力をＨ１と比較し、信号パルス電力がＨ１より低ければ、評価変数を決められた値だけ増やし、それ以外の場合は、評価変数を決められた値だけ減らすステップを含む。信号パルス期間を検出するステップは、信号パルス電力をＨ２と比較し、信号パルス電力がＨ１より高ければ、評価変数を決められた値だけ増やし、それ以外の場合は、評価変数を決められた値だけ減らすステップを含む。信号パルスの後のガード期間を検出するステップは、信号パルス電力をＨ１と比較し、信号パルス電力がＨ１より低ければ、評価変数を決められた値だけ増やし、それ以外の場合は、評価変数を決められた値だけ減らすステップを含む。
【００１９】
ステップａ３のどのパルス期間でも、受信信号パルス電力と照合テンプレート電力との比較は、あらゆる時点で、または複数の事前設定された検出点で行われる。
【００２０】
本発明の利点は、従来の相関手法でダウンリンク同期用信号を探索する前に、ダウンリンク同期信号の電力パルスを探索して、粗時間同期パラメータを取得し、その後、粗時間に基づく時間ウィンドウ内で従来の相関サーチを実行することである。したがって、ダウンリンク同期信号のサーチ時間、および従来の探索の複雑さが、大きく減少する。
【発明を実施するための最良の形態】
【００２１】
添付の図面を参照しながら、本発明の詳細な説明を行う。
【００２２】
図５は、本発明の方法を示したフローチャートである。
【００２３】
移動体は、ダウンリンク同期信号ＳＹＮＣ＿ＤＬの電力パルスを探索するが（ステップ５１）、電力パルスは、６４個の符号片からなり、その前後に長いガード期間をもつという特性を有する。
【００２４】
ダウンリンク同期信号ＳＹＮＣ＿ＤＬの電力パルスが見つかったかどうかが判定され（ステップ５２）、うまく見つかった場合、粗時間同期パラメータが取得される。粗時間パラメータに基づいて、時間サーチ・ウィンドウが開かれ、その中で、従来の相関方法を使用して、ダウンリンク同期信号ＳＹＮＣ＿ＤＬが探索される（ステップ５３）。探索が成功したかどうかが判定され、ダウンリンク同期信号を見つけるのに成功した場合、探索を終了する。失敗した場合、従来の相関方法を使用して、ダウンリンク同期信号ＳＹＮＣ＿ＤＬを探してサブフレーム全体を探索する（ステップ５５）。
【００２５】
ＳＹＮＣ＿ＤＬの電力パルスを見つけるのに失敗した場合も、従来の相関方法を使用して、ダウンリンク同期信号ＳＹＮＣ＿ＤＬを探してサブフレーム全体を探索する（ステップ５５）。探索に成功したかどうかが判定され、成功した場合、セル・サーチは成功である（ステップ５７）。それ以外の場合、セル・サーチは失敗である（ステップ５８）。
【００２６】
次に、基地局によって送信されるダウンリンク同期信号ＳＹＮＣ＿ＤＬの電力パルスを移動体で探索するための方法について説明する。電力パルスを探索するため、照合テンプレートが定義され、照合テンプレートは、すべての受信信号と比較するために使用される。２つが互いにより良く一致すればするほど、受信信号がダウンリンク同期信号ＳＹＮＣ＿ＤＬである可能性は高まる。図６は、ダウンリンク同期信号ＳＹＮＣ＿ＤＬの電力パルスの照合テンプレートを示した説明図である。照合テンプレートのパラメータは、以下のように定義される。
【００２７】
Ｈ１は、ダウンリンク同期信号ＳＹＮＣ＿ＤＬのガード期間の電力に対応した、照合テンプレートのガード期間の電力閾値であり、すなわち、ダウンリンク同期信号のガード期間の電力は、Ｈ１より小さくなければならず、
Ｈ２は、ダウンリンク同期信号ＳＹＮＣ＿ＤＬの電力に対応した、照合テンプレートのＳＹＮＣ＿ＤＬの電力閾値であり、すなわち、ダウンリンク同期信号の電力は、Ｈ２より大きくなければならない。
【００２８】
Ｌ１は、ダウンリンク同期信号ＳＹＮＣ＿ＤＬのガード期間の長さに対応した、照合テンプレートのガード期間の最短長さであり、すなわち、ダウンリンク同期信号ＳＹＮＣ＿ＤＬのガード期間の長さは、Ｌ１より短くあってはならない。
【００２９】
Ｌ２は、緩衝期間（ｉｎｔｅｒｉｍ）であり、すなわち、照合テンプレートのＳＹＮＣ＿ＤＬの電力パルスの両端に設けられる。マルチパス無線送信の影響、および増幅器の上昇／下降過程（ｃｌｉｍｂｉｎｇ／ｄｅｓｃｅｎｄｉｎｇ  ｃｏｕｒｓｅ）を考慮して、長さがＬ２の２つの緩衝期間が、テンプレートの電力パルスの両端に設けられる。緩衝期間の電力に特に定めはない。
【００３０】
Ｌ３は、ダウンリンク同期信号ＳＹＮＣ＿ＤＬの長さに対応した、照合テンプレートのＳＹＮＣ＿ＤＬの長さである。明らかに、Ｌ３は、符号片６４個分より小さく、符号片（６４−２×Ｌ２）個分より大きくなければならない。
【００３１】
もちろん、これらのパラメータは、具体的な状況に応じて、調整することができる。
【００３２】
図７は、ダウンリンク同期信号の電力パルスを探索するための方法を示したフローチャートである。
【００３３】
移動端末によって受信された信号から、一グループの信号ｒ（ｉ）が集められる（ステップ７０１）。ただし、変数ｉは、このグループの信号のサンプル時間であり、０からＮまで範囲の値をとる。
【００３４】
受信信号の電力Ｐを計算する：Ｐ（ｉ）＝｜ｒ（ｉ）｜２  （ステップ７０２）。
【００３５】
時間変数ｔを定義し、０に初期化する（ステップ７０３）。
【００３６】
受信信号ｒ（ｉ）と照合テンプレートの比較度（ｃｏｍｐａｒａｂｉｌｉｔｙ）を測定するための評価変数を０に初期化し、さらにカウンタを０にリセットする（ステップ７０４）。次に、信号ｒ（ｉ）を照合テンプレートと比較し、いくつかの特定の規則に従って、評価変数を求めることができる。それらの規則は、以下のように定義される。
【００３７】
最初に、信号パルスの前のガード期間を検出するが、これには、ｋがｔからｔ＋Ｌ１−１まで範囲の値をとるとして、信号パルス電力Ｐ（ｋ）をＨ１と比較することが含まれ（ステップ７０５）、Ｐ（ｋ）がＨ１より小さければ、評価変数を１だけ増やし（ステップ７０６）、それ以外の場合は、評価変数を１だけ減らす（ステップ７０７）。同時に、どの時点でも、比較を行った後には必ず、カウンタに１を加算する。カウンタ値がＬ１より大きくなった時点で、ガード期間での比較演算は終了し、カウンタを０にリセットする（ステップ７０９）。
【００３８】
次に、信号パルス期間を検出するが、これには、ｋがｔ＋Ｌ１＋Ｌ２からｔ＋Ｌ１＋Ｌ２＋Ｌ３−１まで範囲の値をとるとして、信号パルス電力Ｐ（ｋ）をＨ２と比較することが含まれ（ステップ７１０）、Ｐ（ｋ）がＨ１より高ければ（ステップ７１１）、評価変数を１だけ増やし、それ以外の場合は、評価変数を１だけ減らす（ステップ７１２）。どの時点でも、比較を行った後には必ず、カウンタに１を加算する。カウンタ値がＬ３より大きくなった時点で、信号パルス期間での比較演算は終了し、カウンタを０にリセットする（ステップ７１３）。
【００３９】
最後に、信号パルスの後のガード期間を検査するが、これには、ｋがｔ＋Ｌ１＋２×Ｌ２＋Ｌ３からｔ＋２×Ｌ１＋２×Ｌ２＋Ｌ３−１まで範囲の値をとるとして、信号パルス電力Ｐ（ｋ）をＨ１と比較することが含まれ（ステップ７１５）、Ｐ（ｋ）がＨ１より低ければ、評価変数を１だけ増やし（ステップ７１６）、それ以外の場合は、評価変数を１だけ減らす（ステップ７１７）。どの時点でも、比較を行った後には必ず、カウンタに１を加算する。カウンタ値がＬ１より大きくなった時点で、ガード期間での比較演算は終了し、カウンタを０にリセットする（ステップ７１８）。
【００４０】
すべての受信信号を照合テンプレートと比較し終わると、評価値が求まる。評価値が大きければ大きいほど、信号はダウンリンク同期信号ＳＹＮＣ＿ＤＬの電力パルスにより類似している。ここで実施した例では、評価値は、−２×Ｌ１−２×Ｌ２−Ｌ３から２×Ｌ１＋２×Ｌ２＋Ｌ３まで範囲の値をとる。
【００４１】
その後、評価変数による判定を行い、評価変数の値が、評価閾値と呼ばれる指定の閾値より大きければ（ステップ７２０）、ダウンリンク同期用信号ＳＹＮＣ＿ＤＬが見つかったと判定する。それ以外の場合は、ダウンリンク同期用信号ＳＹＮＣ＿ＤＬは見つかっていないと見なされ、次の判定プロセスに入る。
【００４２】
すべての受信信号ｒ（ｉ）を照合テンプレートと比較したかどうかを判定する（ステップ７２０）。その基準として、時間変数ｔとあらゆる比較演算をすべて行うのに必要な時間との合計時間が、Ｎより長いならば、すべての受信信号ｒ（ｉ）が照合テンプレートと比較された、言い換えれば、比較演算があらゆる時点で実行されたと見なすことができる。すべての受信信号が照合テンプレートと比較された場合、ダウンリンク同期用信号ＳＹＮＣ＿ＤＬの電力パルスは、見つかっていないと見なされる。それ以外の場合、ｔ＝ｔ＋１の代入演算を行い（ステップ７２１）、評価変数を初期化するステップに復帰する。その後、受信グループ内のすべての信号が比較されるまで、次の時点における信号ｒ（ｉ）を照合テンプレートと比較する。
【００４３】
図８は、図７に示した方法の簡略版であり、高速な電力パルス探索を実行することができる。これら２つの方法の同一部分は、繰り返して説明しない。
【００４４】
１．電力計算演算を簡略化する（ステップ８０２）。信号電力を表すのに、以下の式を使用する。
Ｐ（ｉ）＝ａｂｓ（ｒｅａｌ［ｒ（ｉ）］）＋ａｂｓ（ｉｍａｇｅ［ｒ（ｔ）］）
ただし、ｒｅａｌ（）は、複素数の実数部であり、ｉｍａｇｅ（）は、複素数の虚数部である。この式の結果は、信号強度を表す。したがって、この方法を利用することで、図７の平方演算ｐ（ｉ）＝｜ｒ（ｉ）｜２を行わずにすむ。
【００４５】
２．照合操作を簡略化する。図７に示した方法では、照合テンプレートのすべての信号が検出される。したがって、完全なパルス照合操作では、総数で２×Ｌ１＋Ｌ３回の比較演算が必要になる。しかし、ＴＤ−ＳＣＤＭＡシステムのフレームの構造についての先の説明に基づいて、ダウンリンク同期用信号ＳＹＮＣ＿ＤＬの電力パルスの特性を簡略化して、上昇過程（ａｓｃｅｎｄｉｎｇ  ｐｒｏｃｅｓｓ）と下降過程（ｄｅｓｃｅｎｄｉｎｇ  ｐｒｏｃｅｓｓ）とすることができる。その間の間隔には、６４個の符号片が存在する。したがって、この方法と図７に示した方法との相違は、この方法では、いくつかの特別かつ重要な時点、すなわち、検出点１、検出点２、検出点３、および検出点４でのみ検査が行われる点にある。ＳＹＮＣ＿ＤＬの電力パルスを検出する規則は、以下のように簡略化される。
【００４６】
検出点１においてＷ個の符号片を含む信号を検出し（ステップ８０５）、信号電力がＨ１より低ければ、評価を１だけ増やし（ステップ８０６）、それ以外の場合は、評価を１だけ減らす（ステップ８０７）。
【００４７】
検出点２においてＷ個の符号片を含む信号を検出し（ステップ８１０）、信号電力がＨ２より高ければ、評価を１だけ増やし（ステップ８１１）、それ以外の場合は、評価を１だけ減らす（ステップ８１２）。
【００４８】
検出点３においてＷ個の符号片を含む信号を検出し（ステップ８１５）、信号電力がＨ２より高ければ、評価を１だけ増やし（ステップ８１６）、それ以外の場合は、評価を１だけ減らす（ステップ８１７）。
【００４９】
検出点４においてＷ個の符号片を含む信号を検出し（ステップ８２０）、信号電力がＨ１より低ければ、評価を１だけ増やし（ステップ８２１）、それ以外の場合は、評価を１だけ減らす（ステップ８２２）。
【００５０】
ただし、Ｗは、Ｌ１およびＬ３より小さなパラメータである。４つの時点での比較が完了すると、評価値が求まり、それ以降のステップは、図７に示した方法と同じになる。
【００５１】
本発明は、ソフトウェアによって実現することができ、ソフトウェアのコードは、ＲＯＭやフラッシュ・メモリなどの記憶媒体に保存することができる。
【００５２】
図９に示すように、本発明はまた、一種の移動端末９０を提供し、移動端末９０は、ＴＤＤ−ＣＤＭＡシステムにおいてセル・サーチを使用して探索を実行する探索装置９２を備える。探索装置の入力ポートは、移動端末９０のＲＦモジュール９１に接続され、探索装置の出力ポートは、ベース・バンド受信機９３に接続される。移動端末９０は、探索装置９２によって高速なセル・サーチを実行することができるため、基地局との同期を素早く確立し、維持することができる。
【００５３】
図１０に示すように、探索装置はまた、
電力パルス探索装置１００と、相関探索装置１０１と、制御装置１０２とを備える。
【００５４】
電力パルス探索装置１００は、時間同期電力パルスを探索することによって、粗時間同期パラメータを取得するために主として使用される。この探索装置はまた、電力計算装置１００１と、照合テンプレート装置１００２と、電力照合装置１００３とを備える。電力計算装置１００１は、受信信号の電力を計算するために使用される。照合テンプレート装置１００２は、電力照合テンプレートのパラメータを定義し、保存するために使用される。電力照合装置１００３は、受信信号の電力パルスと定義された電力照合テンプレートの類似度を比較するために使用される。
【００５５】
相関探索装置１０１は、相関方法によって時間同期信号を探索して、正確な時間同期を取得する。相関探索装置１０１は、同期符号発生器１０１１と、乗算器１０１２と、積分器１０１３と、比較器１０１４とを備える。同期符号発生器１０１１は、ローカル同期符号を生成し、受信信号と乗算するためにその同期符号を乗算器１０１２に送る。乗算の結果は、積分器１０１３に送られ、指定された期間にわたって積分される。次にその結果が、指定された閾値と比較するために比較器１０１４に送られる。比較の結果は、制御装置１０２に送られる。
【００５６】
制御装置１０２は、電力パルス探索装置１００および相関探索装置１０１の作業を制御し、それらのパラメータを定義するために使用される。
【００５７】
移動端末の通常のセル・サーチ・プロセスは、以下のようになる。
１．制御装置１０２が、電力パルス探索装置１００を起動し、いくつかの対応する作業パラメータ（電力照合テンプレートのパラメータなど）を設定して、電力パルス探索装置１００に作業を開始させる。
２．電力パルス探索装置１００は、照合テンプレートによって定義された時間同期信号パルスを探索し、粗時間同期パラメータを取得し、その後、時間同期信号パラメータを制御装置１０２に送る。
３．制御装置は、ステップ２で述べた粗時間パラメータに基づいて、時間サーチ・ウィンドウを開き、それを相関探索装置１０１に送る。同時に、時間同期装置（図示せず）を起動して、時間同期装置に作業を開始させる。
４．相関探索装置は、ステップ３で述べた時間サーチ・ウィンドウ内で相関サーチを行い、最終的に正確な時間同期を取得する。
【図面の簡単な説明】
【００５８】
【図１】セル・サーチ用の相関器を示した説明図である。
【図２】ＴＤ−ＳＣＤＭＡシステムのサブフレームの構造を示した説明図である。
【図３】ＴＤ−ＳＣＤＭＡシステムのフレームの電力パルスを示したグラフである。
【図４】ＤｗＰＴＳの電力パルスを示したグラフである。
【図５】セル・サーチの電力パルス検出方法を示したフローチャートである。
【図６】ダウンリンク同期信号ＳＹＮＣ＿ＤＬの電力パルスの照合テンプレートを示した説明図である。
【図７（ａ）】電力パルスを検出するための方法を示したフローチャートである。
【図７（ｂ）】電力パルスを検出するための方法を示したフローチャートである。
【図８（ａ）】電力パルスを検出するための簡略方法を示したフローチャートである。
【図８（ｂ）】電力パルスを検出するための簡略方法を示したフローチャートである。
【図９】ＴＤＤ−ＣＤＭＡシステムのセル・サーチ装置を備える移動端末の構造を示したブロック図である。
【図１０】ＴＤＤ−ＣＤＭＡシステムのセル・サーチ装置の構造を示したブロック図である。
【図１】
2006512825.tif 000003
【図２】
2006512825.tif 000004
【図３】
2006512825.tif 000005
【図４】
2006512825.tif 000006
【図５】
2006512825.tif 000007
【図６】
2006512825.tif 000008
【図７ａ】
2006512825.tif 000009
【図７ｂ】
2006512825.tif 000010
【図８ａ】
2006512825.tif 000011
【図８ｂ】
2006512825.tif 000012
【図９】
2006512825.tif 000013
【図１０】
2006512825.tif 000014
【国際調査報告】
2006512825.tif 000015
2006512825.tif 000016
2006512825.tif 000017